(57)【特許請求の範囲】
【請求項１】
被加熱物を搭載するトッププレートと、
前記被加熱物を誘導加熱する加熱手段と、
前記トッププレートに設けられ、前記加熱手段の火力などの機能を設定する複数のタッチキーを横一列に並べた操作部と、
該操作部からの指示に基づき前記加熱手段を制御する制御回路とを備えた誘導加熱調理器であって、
前記操作部には、
両端に設けられた、機能を認識しないダミーキーと、
一方のダミーキーの隣に設けられた、加熱を行っていないときに操作されたときには加熱を開始し、加熱を行っているときに操作されたときには加熱を停止するための切／スタートキーとを備えており、
加熱を行っていないときに、前記切／スタートキーと隣接した前記ダミーキーが操作された後、該ダミーキーと前記切／スタートキーが同時に操作されても加熱を開始せず、次に該切／スタートキーと該切／スタートキーに隣接するタッチキーが同時に操作されても加熱を開始せず、
また、加熱を行っているときに、前記ダミーキーが操作された後、該ダミーキーと前記切／スタートキーが同時に操作されても加熱を停止せず、次に該切／スタートキーと該切／スタートキーに隣接するタッチキーが同時に操作されても加熱を停止せず、
さらに、前記ダミーキーの他方側が操作された後、該ダミーキーと該ダミーキーに隣接する前記タッチキーが同時に操作されても該タッチキーの入力を受け付けず、次に該タッチキーと該タッチキーに隣接する前記タッチキーが同時に操作されても入力を受け付けないことを特徴とする誘導加熱調理器。
【請求項２】
被加熱物を搭載するトッププレートと、
前記被加熱物を誘導加熱する加熱手段と、
前記トッププレートに設けられ、前記加熱手段の火力などの機能を設定する複数のタッチキーを横一列に並べた操作部と、
該操作部からの指示に基づき前記加熱手段を制御する制御回路とを備えた誘導加熱調理器であって、
前記操作部には、
両端に設けられた、機能を認識しないダミーキーと、
一方のダミーキーの隣に設けられた、加熱を開始するためのスタートキーと、
他方のダミーキーの隣に設けられた、加熱を停止するための切キーとを備えており、
前記スタートキーの隣接した前記ダミーキーが操作された後、該ダミーキーと前記スタートキーが同時に操作されても、加熱を開始せず、次に該スタートキーと該スタートキーに隣接するタッチキーが同時に操作されても加熱を開始せず、
また、前記切キーの隣接した前記ダミーキーが操作された後、該ダミーキーと前記切キーが同時に操作されても加熱を停止せず、次に該切キーと該切キーに隣接する前記タッチキーが同時に操作されても入力を受け付けないことを特徴とする誘導加熱調理器。
【発明の詳細な説明】
【技術分野】
【０００１】
本発明は誘導加熱調理器に関するものである。
【背景技術】
【０００２】
加熱調理器のトッププレートに静電容量式のタッチキーを用いた操作部を設けたものがある。この加熱調理器では操作部が平坦であるため操作部の近傍が汚れても布巾などで容易に清掃できるが、布巾などが操作部に触れると使用者が意図しない誤動作が生じる可能性がある。
【０００３】
このような誤動作を防止するため、特許文献１の加熱調理器では、３個以上のタッチキーを並列に設置したものにおいて、タッチキーの内、互いに隣接する複数のタッチキーが同時に入力操作された場合には入力操作を受け付けないことで誤動作を防止している。
【０００４】
【特許文献１】特開２００５−２５１５０４号公報
【発明の開示】
【発明が解決しようとする課題】
【０００５】
特許文献１の加熱調理器では、意図せずに複数のタッチキーを入力操作したときの誤動作を防止することができるが、意図せずに一つのタッチキーを入力操作したときの誤動作を防止することはできない。
【０００６】
例えば、布巾でタッチキーの近傍を清掃するときに、複数のタッチキーのうち最も端に位置するタッチキーだけに触れてしまった場合、そのタッチキーへの入力操作は正常な入力操作であると判断されてしまい、誤動作が生じる。
【０００７】
本発明は、トッププレートに設けられた複数のタッチキーのうち最も端に位置するタッチキーだけに誤って触れてしまった場合でも誤動作を防止する加熱調理器を提供することを目的とする。
【課題を解決するための手段】
【０００８】
上記課題を解決するため、請求項１の誘導加熱調理器は、被加熱物を搭載するトッププレートと、前記被加熱物を誘導加熱する加熱手段と、前記トッププレートに設けられ、前記加熱手段の火力などの機能を設定する複数のタッチキーを横一列に並べた操作部と、該操作部からの指示に基づき前記加熱手段を制御する制御回路とを備えた誘導加熱調理器であって、前記操作部には、両端に設けられた、機能を認識しないダミーキーと、一方のダミーキーの隣に設けられた、加熱を行っていないときに操作されたときには加熱を開始し、加熱を行っているときに操作されたときには加熱を停止するための切／スタートキーとを備えており、加熱を行っていないときに、前記切／スタートキーと隣接した前記ダミーキーが操作された後、該ダミーキーと前記切／スタートキーが同時に操作されても加熱を開始せず、次に該切／スタートキーと該切／スタートキーに隣接するタッチキーが同時に操作されても加熱を開始せず、また、加熱を行っているときに、前記ダミーキーが操作された後、該ダミーキーと前記切／スタートキーが同時に操作されても加熱を停止せず、次に該切／スタートキーと該切／スタートキーに隣接するタッチキーが同時に操作されても加熱を停止せず、さらに、前記ダミーキーの他方側が操作された後、該ダミーキーと該ダミーキーに隣接する前記タッチキーが同時に操作されても該タッチキーの入力を受け付けず、次に該タッチキーと該タッチキーに隣接する前記タッチキーが同時に操作されても入力を受け付けないものである。
【０００９】
また、請求項２の誘導加熱調理器は、被加熱物を搭載するトッププレートと、前記被加熱物を誘導加熱する加熱手段と、前記トッププレートに設けられ、前記加熱手段の火力などの機能を設定する複数のタッチキーを横一列に並べた操作部と、該操作部からの指示に基づき前記加熱手段を制御する制御回路とを備えた誘導加熱調理器であって、前記操作部には、両端に設けられた、機能を認識しないダミーキーと、一方のダミーキーの隣に設けられた、加熱を開始するためのスタートキーと、他方のダミーキーの隣に設けられた、加熱を停止するための切キーとを備えており、前記スタートキーの隣接した前記ダミーキーが操作された後、該ダミーキーと前記スタートキーが同時に操作されても、加熱を開始せず、次に該スタートキーと該スタートキーに隣接するタッチキーが同時に操作されても加熱を開始せず、また、前記切キーの隣接した前記ダミーキーが操作された後、該ダミーキーと前記切キーが同時に操作されても加熱を停止せず、次に該切キーと該切キーに隣接する前記タッチキーが同時に操作されても入力を受け付けないものである。
【発明の効果】
【００１２】
本発明によれば、誘導加熱調理器のトッププレート表面に設けられた、静電容量式のタッチキーを用いた操作部を布巾で拭いたときの誤動作を防止することができる。
【発明を実施するための最良の形態】
【００１３】
以下、図面を用いて本発明の一実施例を説明する。
【実施例１】
【００１４】
図１は本実施例の誘導加熱調理器を上方から見た図である。
【００１５】
図１において、１は誘導加熱調理器の本体、２は本体１の上面に設けられた耐熱性ガラスを素材とした平坦なトッププレートである。３〜５はトッププレート２に表示された加熱部であり、ここに置かれた鉄鍋やアルミ鍋等の被加熱物は加熱部３〜５の下方に設けられた加熱手段から発生する磁力線の影響により誘導加熱する。６〜８は各加熱部３〜５の火力などの状態を表示するＬＣＤ等の表示部であり、９〜１１は各加熱部３〜５の火力などを操作するための制御タッチキーが並べられた操作部である。本実施例では操作部９〜１１に静電容量式のタッチキーを採用している。
【００１６】
図３は図１の誘導加熱調理器をシステムキッチンに組み込んだ状態を示す図である。
【００１７】
図３において、前記した加熱調理器の本体１は、システムキッチン２０の天板部にその外周縁部が吊り下がるように設置されており、設置後は前面の左右に配置されたグリル部２１の前面および操作パネル２２がシステムキッチン２０の前面開口穴に臨み、本体１の前面から操作できるようになっている。なお、その他の符号を付した部分は、図１の構成と同等であるので、重複する説明は省略する。
【００１８】
次に、図４を用いて操作部９の構造を説明する。
【００１９】
図４は加熱部３，表示部６，操作部９を含むように本体１を切断した断面図であり、ここでは鍋等の被加熱物４０をトッププレート２に搭載しているものとする。図４に示すように、表示部６はＬＣＤ６１と表示部基板６２で構成され、操作部９はトッププレート２に触れるように設けられた静電容量式タッチキー９１と操作部基板９２で構成される。
【００２０】
また、４２は被加熱物４０を誘導加熱するための加熱手段であり、４１は操作部９からの指示に基づいて加熱手段４２および表示部６を制御する制御回路である。なお、タッチキー９１は機能毎に複数設けられているものとする。
【００２１】
使用者が操作部９に触れると、タッチキー９１は操作部９が操作されたことを認識し、各々のタッチキー９１に割り振られた指示が操作部基板９２を介して制御回路４１に送られる。制御回路４１は入力された指示に応じて表示部６に表示する内容を制御するとともに、加熱コイルを含む加熱手段４２を制御して火力を調整する。
【００２２】
このように、平坦なトッププレート２の下にタッチキー９１を設けることで、トッププレート２の一部を平坦な操作部９とすることができ、調理中に操作部９の近傍が汚れたときでも布巾でふき取りやすいなど清掃性を高めることができる。
【００２３】
なお、通常は、トッププレート２の裏面または表面にその下にあるタッチキー９１の機能を示すプリントをして使用者がタッチキーの存在や機能を認識できるようにするが、使用者が存在や機能を認識する必要の無いタッチキー９１に対応する位置にはプリントをしなくてもよい。
【００２４】
図２は加熱部３に対応する表示部６と操作部９の拡大図である。ここに示されるように、操作部９には、タッチキー９ａ〜９ｉ，９Ｌ，９Ｒが設けられている。操作部１１は操作部９と同等の構成であり、操作部１０は「とろ火」「弱火」「中火」「強火」タッチキーが設けられていない点を除き操作部９の構成と同等であるので、以下では、加熱部３に対応する操作部９を例に説明を行う。
【００２５】
図２において、９ａは加熱を行っていないときに操作されたときには加熱を開始し、加熱を行っているときに操作されたときには加熱を停止するための「切／スタートキー」、９ｂ〜９ｇは火力を調整するキーであり、９ｂは火力をとろ火に設定する「とろ火キー」、９ｃは弱火に設定する「弱火キー」、９ｄは中火に設定する「中火キー」、９ｅは強火に設定する「強火キー」、９ｆは火力を弱める「火力ダウンキー」、９ｇは火力を強める「火力アップキー」である。また、９ｈは調理時間を設定する「タイマーキー」、９ｉはオート調理を行うための「メニューキー」である。
【００２６】
また、９Ｌ，９Ｒは、図の左が切／スタートキー９ａに隣接し、右がメニューキー９ｉに隣接した「ダミーキー」で、単独で操作しても、指示は制御回路４１に送られるが誘導加熱調理器を制御する機能が設定されておらず、制御に影響を与えないキーである。なお、このダミーキー９Ｌ，９Ｒは、使用者にその存在を知らせるために色などを付しても良いし、使用者が誤って操作してしまうのを防止するために表示をしなくてもよい。表示部６には現在の火力やタイマー時間や選択されたオート調理のメニュー等が表示される。
【００２７】
次に、操作部９を使った本実施例の誘導加熱調理器の操作を説明する。
【００２８】
まず、使用者が切／スタートキー９ａを操作した後に希望の火力（例えば強火キー９ｅ）を操作するか、または、希望の火力（例えば強火キー９ｅ）を操作した後に切／スタートキー９ａを操作すると加熱が開始される。
【００２９】
また、加熱中に火力を変更するには、加熱中に希望の火力（例えば弱火キー９ｃ）を操作する。また、加熱を停止するには、加熱中に切／スタートキー９ａを操作する。
【００３０】
次に、本実施例の誘導加熱調理器の誤動作防止について説明する。トッププレート２上に液体をこぼしてしまったとき等に布巾でトッププレート２を拭くと、布巾が操作部９のタッチキーに触れてしまい、使用者が意図しないタッチキーが操作される場合がある。タッチキーに比べて相対的に大きい布巾でタッチキーに触れるときには、同時に複数のタッチキーに触れることになるので、本実施例の誘導加熱調理器では、同時に複数のタッチキーが操作されたときには、その入力を受け付けないこととした。これにより、布巾で操作部９近傍を拭くときに複数のタッチキーに触れてしまった場合であっても、誤動作を防止することができる。
【００３１】
図２において、操作部９が左から右に向けて布巾で拭かれる場合を例に具体的に説明する。
【００３２】
まず、最も左に位置するダミーキー９Ｌに布巾が触れる。しかし、ダミーキー９Ｌは誘導加熱調理器を制御する機能が設定されておらず、これを操作しても誘導加熱調理器の制御に影響を与えない。続いて、切／スタートキー９ａに布巾が触れるが、布巾はダミーキー９Ｌにも触れているので、つまり、複数のタッチキーが同時に操作されているので、切／スタートキー９ａの入力は受け付けられない。また、とろ火キー９ｂに布巾が触れたときには切／スタートキー９ａにも布巾が触れているのでとろ火キー９ｂの入力は受け付けられない。また、メニューキー９ｉに布巾が触れているときには、布巾はタイマーキー９ｈまたはダミーキー９Ｒにも触れているのでメニューキー９ｉの入力は受け付けられない。布巾がメニューキー９ｉを離れた後、布巾はダミーキー９Ｒに単独で触れることになるが、これを操作しても誘導加熱調理器の制御に影響を与えない。操作部９が左から右に向けて布巾で拭かれる場合には、このようにして誤動作を防止することができる。
【００３３】
次に、図２において、操作部９が右から左に向けて布巾で拭かれる場合を例に具体的に説明する。まず、最も右に位置するダミーキー９Ｒに布巾が触れる。しかし、ダミーキー９Ｒは、操作しても誘導加熱調理器を制御する機能が設定されておらず、これを操作しても誘導加熱調理器の制御に影響を与えない。続いて、メニューキー９ｉに布巾が触れるが、布巾はダミーキー９Ｒにも触れているので、つまり、複数のタッチキーが同時に操作されているので、メニューキー９ｉの入力は受け付けられない。また、タイマーキー９ｈに布巾が触れたときにはメニューキー９ｉにも布巾が触れているのでタイマーキー９ｈの入力は受け付けられない。また、切／スタートキー９ａに布巾が触れているときには、布巾はとろ火キー９ａまたはダミーキー９Ｌにも触れているので切／スタートキー９ａの入力は受け付けられない。布巾が切／スタートキー９ａを離れた後、布巾はダミーキー９Ｌに単独で触れることになるが、これを操作しても誘導加熱調理器の制御に影響を与えない。操作部９が右から左に向けて布巾で拭かれる場合には、このようにして誤動作を防止することができる。
【００３４】
なお、以上の実施例では、ダミーキーの隣に切／スタートキーまたはメニューキーを設ける構成を例に説明したが、本発明の適用はこの構成に限られるものではなく、ダミーキーの隣のキーはどのような機能の制御タッチキーであっても良い。
【実施例２】
【００３５】
次に図５を用いて、本発明の他の実施例について説明する。実施例２の誘導加熱調理器は、操作部９〜１１のタッチキーの構成を除き、実施例１の誘導加熱調理器の構成と同等であるので、重複する説明は省略する。
【００３６】
実施例２の誘導加熱調理器では、図５に示すように、加熱を開始するときに用いるスタートキー９ｘと加熱を停止するときに用いる切キー９ｙを別々にし、スタートキー９ｘを左端、切キー９ｙを右端に設けている。
【００３７】
次に、本実施例の誘導加熱調理器の誤動作防止について説明する。
【００３８】
トッププレート２に液体をこぼしてしまったとき等に布巾でトッププレート２を拭くと、布巾が操作部９のタッチキーに触れてしまい、使用者が意図しないタッチキーが操作される場合がある。タッチキーに比べて相対的に大きい布巾でタッチキーに触れるときには、同時に複数のタッチキーに触れることになるので、本実施例の誘導加熱調理器では、同時に複数のタッチキーが操作されたときには、その入力を受け付けないこととした。これにより、布巾で操作部９近傍を拭くときに複数のタッチキーに触れてしまった場合であっても、誤動作を防止することができる。
【００３９】
図５において、操作部９が左から右に向けて布巾で拭かれる場合を例に具体的に説明する。まず、最も左に位置するダミーキー９Ｌに布巾が触れる。しかし、ダミーキー９Ｌは、操作しても誘導加熱調理器を制御する機能が設定されておらず、これを操作しても誘導加熱調理器の制御に影響を与えない。続いて、スタートキー９ｘに布巾が触れるが、布巾はダミーキー９Ｌにも触れているので、つまり、複数のタッチキーが同時に操作されているので、スタートキー９ｘの入力は受け付けられない。
【００４０】
また、とろ火キー９ｂに布巾が触れたときには、スタートキー９ｘにも布巾が触れているのでとろ火キー９ｂの入力は受け付けられない。操作部９が左から右に向けて布巾で拭かれる場合には、このようにして誤動作を防止することができる。
【００４１】
次に、図５において、操作部９が右から左に向けて布巾で拭かれる場合を例に具体的に説明する。まず、最も右に位置するダミーキー９Ｒに布巾が触れる。しかし、ダミーキー９Ｒは、操作しても誘導加熱調理器を制御する機能が設定されておらず、これを操作しても誘導加熱調理器の制御に影響を与えない。続いて、切キー９ｙに布巾が触れるが、布巾はダミーキー９Ｒにも触れているので、つまり、複数のタッチキーが同時に操作されているので、切キー９ｙの入力は受け付けられない。また、メニューキー９ｉに布巾が触れたときには切キー９ｙにも布巾が触れているのでメニューキー９ｉの入力は受け付けられない。操作部９が右から左に向けて布巾で拭かれる場合には、このようにして誤動作を防止することができる。
【００４２】
なお、上記の説明では、スタートキー９ｘを左端、切キー９ｙを右端に設けているが、その配列は逆であってもよい。
【図面の簡単な説明】
【００４３】
【図１】本発明の一実施例における誘導加熱調理器の平面図である。
【図２】同誘導加熱調理器の操作部の拡大図である。
【図３】同誘導加熱調理器が設置されたシステムキッチンの斜視図である。
【図４】同誘導加熱調理器の要部断面図である。
【図５】本発明の他の実施例における誘導加熱調理器の操作部の拡大図である。
【符号の説明】
【００４４】
１  本体
２  トッププレート
３，４，５  加熱部
６，７，８  表示部
９，１０，１１  操作部
９Ｌ，９Ｒ  ダミーキー
４１  制御回路
４２  加熱手段
【図１】
0004988497.tif 000002
【図２】
0004988497.tif 000003
【図３】
0004988497.tif 000004
【図４】
0004988497.tif 000005
【図５】
0004988497.tif 000006